(57)【要約】      （修正有）【課題】表示品質を保証し、解像度を向上しながらピクセル数を減少し、また、部品の寿命、効率と個体のピクセルのサイズを増加することができるピクセルアレイとこれを具備するディスプレイを提供する。【解決手段】ピクセルアレイは第１色のサブピクセル、第２色のサブピクセル及び第３色のサブピクセルを具備するサブピクセル基本ユニットを複数行複数列含み、サブピクセル基本ユニットそれぞれは複数のピクセルを具現し、サブピクセル基本ユニットそれぞれにおいて、第１色のサブピクセル、第２色のサブピクセル及び第３色のサブピクセルの個数比は１：２：１であり、水平方向と垂直方向の各方向において，前記第２色のサブピクセル同士は互いに隣接していない。【選択図】図３
2015018241.tif 000002
【特許請求の範囲】
【請求項１】
第１色のサブピクセル、第２色のサブピクセル及び第３色のサブピクセルを具備するサブピクセル基本ユニットを複数行複数列含み、
サブピクセル基本ユニットそれぞれは複数のピクセルを具現し、
サブピクセル基本ユニットそれぞれにおいて、第１色のサブピクセル、第２色のサブピクセル及び第３色のサブピクセルの個数比は１：２：１であり、
水平方向と垂直方向の各方向において、前記第２色のサブピクセル同士は互いに隣接していないことを特徴とするピクセルアレイ。
【請求項２】
第１項において、
２つの第１色のサブピクセルの間には少なくとも３つの他の色のサブピクセルが介在され、２つの第３色のサブピクセルの間には少なくとも３つの他の色のサブピクセルが介在されていることを特徴とするピクセルアレイ。
【請求項３】
第１項において、
前記第２色のサブピクセルは緑サブピクセルであり、前記第１色のサブピクセルは赤サブピクセルであり、前記第３色のサブピクセルは青サブピクセルであることを特徴とするピクセルアレイ。
【請求項４】
第３項において、
サブピクセル基本ユニットそれぞれは、３行４列のサブピクセルを具備することを特徴とするピクセルアレイ。
【請求項５】
第４項において、
２つのサブピクセルにより一つのピクセルが具現されることを特徴とするピクセルアレイ。
【請求項６】
第３項において、
前記赤サブピクセルそれぞれと前記青色サブピクセルそれぞれの発光強度の４分の１が当該サブピクセルに隣接したピクセルに割り当てられることを特徴とするピクセルアレイ。
【請求項７】
第３項において、
前記赤サブピクセルそれぞれと前記青色サブピクセルそれぞれの発光強度の８分の１が前に隣接するピクセルに割り当てられ、８分の３が後に隣接するピクセルに割り当てられることを特徴とするピクセルアレイ。
【請求項８】
第３項において、
前記赤サブピクセルそれぞれと前記青色サブピクセルそれぞれの発光強度の２分の１が当該サブピクセルに隣接したピクセルに割り当てられることを特徴とするピクセルアレイ。
【請求項９】
第５項において、
前記サブピクセル基本ユニットにおいて、第Ｍ行第Ｎ列のサブピクセルと第Ｍ  ＋１行第Ｎ  ＋１列のサブピクセルの色は同じであることを特徴とするピクセルアレイ。
【請求項１０】
第５項において、
前記サブピクセル基本ユニットにおいて、第Ｍ行第Ｎ列のサブピクセルと第Ｍ  ＋１行第Ｎ−１列のサブピクセルの色は同じであることを特徴とするピクセルアレイ。
【請求項１１】
第１項において、
前記緑サブピクセルの面積は赤サブピクセルの面積の２分の１であり、前記赤サブピクセルの面積と青サブピクセルの面積が同じであることを特徴とするピクセルアレイ。
【請求項１２】
第１色のサブピクセル、第２色のサブピクセル及び第３色のサブピクセルを具備するサブピクセル基本ユニットを複数行複数列含み、
サブピクセル基本ユニットそれぞれは複数のピクセルを具現し、
サブピクセル基本ユニットそれぞれにおいて、第１色のサブピクセル、第２色のサブピクセル及び第３色のサブピクセルの個数比は１：２：１であり、
水平方向と垂直方向の各方向において、前記第２色のサブピクセル同士は互いに隣接していないピクセルアレイを具備することを特徴とするディスプレイ。
【請求項１３】
第１２項において、
２つの第１色のサブピクセルの間には少なくとも３つの他の色のサブピクセルが介在され、２つの第３色のサブピクセルの間には少なくとも３つの他の色のサブピクセルが介在されていることを特徴とするディスプレイ。
【請求項１４】
第１２項において、
前記第２色のサブピクセルは緑サブピクセルであり、前記第１色のサブピクセルは赤サブピクセルであり、前記第３色のサブピクセルは青色サブピクセルであることを特徴とするディスプレイ。
【請求項１５】
第１４項において、
サブピクセル基本ユニットそれぞれは３行４列のサブピクセルを具備することを特徴とするディスプレイ。
【請求項１６】
第１５項において、
２つのサブピクセルにより一つのピクセルが具現されることを特徴とするディスプレイ。
【請求項１７】
第１４項において、
前記赤サブピクセルそれぞれと前記青色サブピクセルそれぞれの発光強度の４分の１が当該サブピクセルに隣接したピクセルに割り当てられることを特徴とするディスプレイ。
【請求項１８】
第１４項において、
前記赤サブピクセルそれぞれと前記青色サブピクセルそれぞれの発光強度の８分の１が前に隣接するピクセルに割り当てられ、８分の３が後に隣接するピクセルに割り当てられていることを特徴とするディスプレイ。
【請求項１９】
第１４項において、
前記赤サブピクセルそれぞれと前記青色サブピクセルそれぞれの発光強度の２分の１が当該サブピクセルに隣接したピクセルに割り当てられていることを特徴とするディスプレイ。
【請求項２０】
第１６項において、
前記サブピクセル基本ユニットにおいて、第Ｍ行第Ｎ列のサブピクセルと第Ｍ  ＋１行第Ｎ  ＋１列のサブピクセルの色は同じであることを特徴とするディスプレイ。
【請求項２１】
第１６項において、
前記サブピクセル基本ユニットにおいて、第Ｍ行第Ｎ列のサブピクセルと第Ｍ  ＋１行第Ｎ−１列のサブピクセルの色は同じであることを特徴とするディスプレイ。
【請求項２２】
第１２項において、
前記緑サブピクセルの面積は赤サブピクセルの面積の２分の１であり、前記赤サブピクセルの面積と青サブピクセルの面積とが同じであることを特徴とするディスプレイ。
【請求項２３】
第１２項において、
前記ディスプレイは、アクティブマトリックス有機発光ダイオードディスプレイであることを特徴とするディスプレイ。
【発明の詳細な説明】
【技術分野】
【０００１】
本発明はモニタの技術分野に関するものであり、特にはピクセルアレイとこれを具備するディスプレイに関するものである。
【背景技術】
【０００２】
ディスプレイ分野、特にはアクティブマトリックス有機発光ダイオードディスプレイ（ＡＭＯＬＥＤ）技術分野の場合、一般的にピクセルアレイに対する改善によって、表示品質を保証し、解像度を向上しながらピクセル数を減少し、また、部品の寿命、効率と個体のピクセルのサイズを増加することを望む。
【０００３】
サブピクセルのレイアウト（ｓｕｂ−ｐｉｘｅｌ  ｌａｙｏｕｔ）に対する改善はディスプレイに対する人間の肉眼の色、色差（ｃｈｒｏｍｉｎａｎｃｅ）と輝度（ｌｕｍｉｎａｎｃｅ）に対する知覚に影響を与えることができる。従来の技術においては、例えば、公開番号がＣＮ１６３９７６５Ａであり、発明の名称が  “カラーフラットパネルディスプレイのサブピクセルアレイとサブピクセル着色装置（彩色平板顕示器的子像素排列和子像素着色設置）”である中国の発明特許では４ｘ４マトリックスを公開し、本発明の図１の図２は前記特許の添付の図９Ａと図９Ｂに対応するもので、サブピクセルのグループ内の主要なサブピクセルを分裂させる様々な変位の８つが一つのグループであるサブピクセル配列の他の実施例を示す。この特許では８つが一つのグループであるサブピクセルのグループの中でサブピクセルの形状は異なる可能性があり、図９Ａと図９Ｂに示したグループの中で複数のサブピクセル１０６はサブピクセル１０２とサブピクセル１０４  に構成された格子内に分散されてあり、これらの格子内の複数のサブピクセルの位置も他の配列方法があることができるのはその発明の範囲内にある。前記特許の図９Ａと図９Ｂの場合、柱状電極がＺ字型にディスプレイを貫通する。同じ解像度のＲＧＢフリンジシステムと比較した場合、柱状駆動装置は３分の１に低減する必要があり、サブピクセルの数は約ＲＧＢフリンジシステムのサブピクセル数の３分の２である。
【０００４】
このため、従来技術に係るストライプ状の赤／緑／青の色配列を有するフラットパネルディスプレイにおけるピクセルアレイの配列方式を改善して新しいピクセルアレイを開発することにより、サブピクセルの数を減らせるだけでなく、フラットパネルディスプレイの視覚効果をさらに向上させることができるようにすることは、この技術分野の重要な課題である。
【発明の概要】
【発明が解決しようとする課題】
【０００５】
本発明は、従来技術に存在する上記の問題を解消するためになされたものであり、その一つの目的は、従来技術に係るピクセルアレイの表示効果と同じかそれ以上の表示効果を具現すると同時に、サブピクセルの数を減らし、生産コストを低減することができる従来の技術とは違いピクセルアレイを提供することである。
【０００６】
本発明のもう一つの目的は本発明のピクセルアレイを具備するディスプレイを提供することである。
【課題を解決するための手段】
【０００７】
上記の目的を達成するための本発明は、ピクセルアレイは、第１色のサブピクセル、第２色のサブピクセル及び第３色のサブピクセルを具備するサブピクセル基本ユニットを複数行複数列含み、サブピクセル基本ユニットそれぞれは複数のピクセルを具現し、サブピクセル基本ユニットそれぞれにおいて、第１色のサブピクセル、第２色のサブピクセル及び第３色のサブピクセルの個数比は１：２：１であり、水平方向と垂直方向の各方向において，前記第２色のサブピクセル同士は互いに隣接していないピクセルアレイを提供する。
【０００８】
本発明に係るピクセルアレイにおいて、２つの第１色のサブピクセルの間には少なくとも３つの他の色のサブピクセルが介在され、２つの第３色のサブピクセルの間には少なくとも３つの他の色のサブピクセルが介在されていることが好ましい。
【０００９】
本発明に係るピクセルアレイにおいて、前記第２色のサブピクセルは緑サブピクセルであり、前記第１色のサブピクセルは赤サブピクセルであり、前記第３色のサブピクセルは青サブピクセルであることが好ましい。
【００１０】
本発明に係るピクセルアレイにおいて、サブピクセル基本ユニットそれぞれは、３行４列のサブピクセルを具備することが好ましい。
【００１１】
本発明に係るピクセルアレイにおいて、２つのサブピクセルにより一つのピクセルが具現されることが好ましい。
【００１２】
本発明に係るピクセルアレイにおいて、水平方向において、２つの赤サブピクセルの間には緑サブピクセル、青サブピクセル及び緑サブピクセルが順に介在され、２つの青サブピクセルの間には緑サブピクセル、赤サブピクセル及び緑サブピクセルが順に介在されていることが好ましい。
【００１３】
本発明に係るピクセルアレイにおいて、前記赤サブピクセルそれぞれと前記青色サブピクセルそれぞれの発光強度の４分の１が当該サブピクセルに隣接したピクセルに割り当てられることが好ましい。
【００１４】
本発明に係るピクセルアレイにおいて、前記赤サブピクセルそれぞれと前記青色サブピクセルそれぞれの発光強度の８分の１が前に隣接するピクセルに割り当てられ、８分の３が後に隣接するピクセルに割り当てられることが好ましい。
【００１５】
本発明に係るピクセルアレイにおいて、前記赤サブピクセルそれぞれと前記青色サブピクセルそれぞれの発光強度の２分の１が当該サブピクセルに隣接したピクセルに割り当てられていることが好ましい。
【００１６】
本発明に係るピクセルアレイにおいて前記サブピクセル基本ユニットにおいて、第Ｍ行第Ｎ列のサブピクセルと第Ｍ  ＋１行第Ｎ  ＋１列のサブピクセルの色は同じであることが好ましい。
【００１７】
本発明に係るピクセルアレイにおいて、前記サブピクセル基本ユニットにおいて、第Ｍ行第Ｎ列のサブピクセルと第Ｍ  ＋１行第Ｎ−１列のサブピクセルの色は同じであることが好ましい。
【００１８】
本発明に係るピクセルアレイにおいて、第１行第１列のサブピクセルは赤サブピクセルまたは青サブピクセルであることが好ましい。
【００１９】
本発明に係るピクセルアレイにおいて、第１行第１列のサブピクセルは緑サブピクセルであることが好ましい。
【００２０】
本発明に係るピクセルアレイにおいて、前記緑サブピクセルの面積は赤サブピクセルの面積の２分の１であり、前記赤サブピクセルの面積と青サブピクセルの面積が同じであることが好ましい。
【００２１】
また、本発明は、第１色のサブピクセル、第２色のサブピクセル及び第３色のサブピクセルを具備するサブピクセル基本ユニットを複数行複数列含み、サブピクセル基本ユニットそれぞれは第１色のサブピクセルと第２色のサブピクセルと第３色のサブピクセルとを具備し、サブピクセル基本ユニットそれぞれは複数のピクセルを具現し、サブピクセル基本ユニットそれぞれにおいて、第１色のサブピクセル、第２色のサブピクセル及び第３色のサブピクセルの個数比は１：２：１であり、水平方向と垂直方向の各方向において，前記第２色のサブピクセル同士は互いに隣接していないピクセルアレイを具備するディスプレイを提供する。
【００２２】
本発明に係るディスプレイにおいて、２つの第１色のサブピクセルの間には少なくとも３つの他の色のサブピクセルが介在され、２つの第３色のサブピクセルの間には少なくとも３つの他の色のサブピクセルが介在されていることが好ましい。
【００２３】
本発明に係るディスプレイにおいて、前記第２色のサブピクセルは緑サブピクセルであり、前記第１色のサブピクセルは赤サブピクセルであり、前記第３色のサブピクセルは青色サブピクセルであることであることが好ましい。
【００２４】
本発明に係るディスプレイにおいて、サブピクセル基本ユニットそれぞれは３行４列のサブピクセルを具備することが好ましい。
【００２５】
本発明に係るディスプレイにおいて、２つのサブピクセルにより一つのピクセルが具現されることが好ましい。
【００２６】
本発明に係るディスプレイにおいて、水平方向において、２つの赤サブピクセルの間には緑サブピクセル、青サブピクセル及び緑サブピクセルが順に介在され、２つの青サブピクセルの間には緑サブピクセル、赤サブピクセル及び緑サブピクセルが順に介在されていることが好ましい。
【００２７】
本発明に係るディスプレイにおいて、前記赤サブピクセルそれぞれと前記青色サブピクセルそれぞれの発光強度の４分の１が当該サブピクセルに隣接したピクセルに割り当てられていることが好ましい。
【００２８】
本発明に係るディスプレイにおいて、前記赤サブピクセルそれぞれと前記青色サブピクセルそれぞれの発光強度の８分の１が前に隣接するピクセルに割り当てられ、８分の３が後に隣接するピクセルに割り当てられることが好ましい。
【００２９】
本発明に係るディスプレイにおいて、前記赤サブピクセルそれぞれと前記青色サブピクセルそれぞれの発光強度の２分の１が当該サブピクセルに隣接したピクセルに割り当てられることが好ましい。
【００３０】
本発明に係るディスプレイにおいて、前記サブピクセル基本ユニットにおいて、第Ｍ行第Ｎ列のサブピクセルと第Ｍ  ＋１行第Ｎ  ＋１列のサブピクセルの色は同じであることが好ましい。
【００３１】
本発明に係るディスプレイにおいて、前記サブピクセル基本ユニットにおいて、第Ｍ行第Ｎ列のサブピクセルと第Ｍ  ＋１行第Ｎ−１列のサブピクセルの色は同じであることが好ましい。
【００３２】
本発明に係るディスプレイにおいて、第１行第１列のサブピクセルは赤サブピクセルまたは青サブピクセルであることが好ましい。
【００３３】
本発明に係るディスプレイにおいて、第１行第１列のサブピクセルは赤サブピクセルまたは青サブピクセルであることが好ましい。
【００３４】
本発明に係るディスプレイにおいて、前記緑サブピクセルの面積は赤サブピクセルの面積の２分の１であり、前記赤サブピクセルの面積と青サブピクセルの面積が同じであることが好ましい。
【００３５】
本発明に係るディスプレイにおいて、前記ディスプレイは、アクティブマトリックス有機発光ダイオードディスプレイであることが好ましい。
【発明の効果】
【００３６】
以上により、本発明の下記のような有益な効果を有する。
本発明に係るピクセルアレイとこれを具備するディスプレイは従来技術に係るピクセルマトリックスと違いピクセルの配列を持っているが、従来技術に係るピクセルマトリックスの表示品質に達することができ、さらには超えることもできる。また、本発明に係るピクセルマトリックスは、ピクセル数を減らし、ピクセルマトリックスのコストを低減することができ、さらに、本発明に係るピクセルマトリックスを備えているディスプレイのコストを低減することができる。
【図面の簡単な説明】
【００３７】
【図１】従来技術に係るピクセルアレイの一種類のサブピクセル基本ユニットの構成を模式的に示す説明図である。
【図２】、従来技術に係るピクセルアレイの他の種類のサブピクセル基本ユニットの構成を模式的に示す説明図である。
【図３】本発明の第１実施例に係るピクセルアレイを模式的に示す説明図である。
【図４】本発明の第１実施例に係るサブピクセル基本ユニットを模式的に示す説明図である。
【図５】本発明の第２実施例に係るピクセルアレイを模式的に示す説明図である。
【図６】本発明の第２実施例に係るサブピクセル基本ユニットを模式的に示す説明図である。
【図７】本発明の第３実施例に係るピクセルアレイを模式的に示す説明図である。
【図８】本発明の第３実施例に係るサブピクセル基本ユニットを模式的に示す説明図である。
【図９】本発明の第４実施例に係るピクセルアレイを模式的に示す説明図である。
【図１０】本発明の第４実施例に係るサブピクセル基本ユニットを模式的に示す説明図である。
【発明を実施するための形態】
【００３８】
以下に、本発明の特徴と利点を具現する典型的実施例について詳細に説明する。本発明は、各実施例において様々な変形を有しているが、これらは本発明の範囲を離脱したものではなく、本願明細書中の説明及び図面は、本質的に本発明を説明するためのものであって本発明を限定するためのものでないと理解すべきである。
【００３９】
本発明において、図面のある紙面を基準とする時、行方向／水平方向は紙面の左右方向を言って、列方向／垂直方向は紙面の上下方向を言う。前／後はそれぞれ紙面の左側、右側を示す。
【００４０】
本発明の実施例に係るピクセルアレイは本発明の実施例に係るディスプレイに使用することができる。本発明の実施例に係るディスプレイは本発明の実施例に係るピクセルアレイを持つ。
【００４１】
本発明の実施例に係るディスプレイはアクティブマトリックス有機発光ダイオードディスプレイであることが好ましく、これはフラットパネルモニタと非平面ディスプレイを含んでいる。ただし、本発明はこれに限定されない。
【００４２】
以下、緑サブピクセルＧ、赤サブピクセルＲ及び青サブピクセルＢにより構成される３行４列のサブピクセル基本ユニットを例に挙げて、本発明の実施例に係るピクセルアレイを説明することにする。ただし、本発明のピクセルマトリックスは３行４列のサブピクセル基本ユニットに限定されず、また、上記３種類のサブピクセル構成要素に限定されない。
【００４３】
総体的に、本発明の各実施例に係るピクセルマトリックスは、２つの主な特徴を持つ。
第一、本発明の実施例に係るピクセルマトリックスにおいて、３種類のサブピクセルの個数比は１：２：１あるいは２：１：１と１：１：２である。その中で、緑サブピクセルが５０％を占めている。つまり、赤サブピクセル、緑サブピクセル及び青サブピクセルの比率は１：２：１である。
【００４４】
第二、３行４列のサブピクセル基本ユニットにおいて、各斜線（対角線とも呼ばれる。斜線の角度は、例えば、４５度、１３５度など）上に、同じ色のサブピクセルが分布しており、緑サブピクセルが存在している斜線は赤色のサブピクセルが存在する斜線と青サブピクセルが存在する斜線を離間させる。
【００４５】
以下に、本発明の各実施例に係るピクセルアレイを具体的に説明することにする。
第１実施例：
図３と図４に示したように、本発明の第１実施例に係るピクセルアレイは、同じサブピクセル基本ユニット複数行複数列により構成され、サブピクセル基本ユニットそれぞれは３行４列に配列された１２個のサブピクセルにより構成され、１２個のサブピクセルは３つの赤サブピクセルＲ、３つの青サブピクセルＢ、６つの緑サブピクセルＧに割り当てられる。このため、赤サブピクセルＲ、緑サブピクセルＧ及び青サブピクセルＢの個数比は１：２：１である。
【００４６】
図３と図４に示すように、水平方向において隣接する２つのサブピクセルにより一つのピクセルが具現されるため、本実施例に係るピクセルアレイは、１２個のサブピクセルに３行４列のピクセルアレイが具現される。このため、一つのピクセルが赤、緑、青の３種類のサブピクセルを含む比較的普通な場合は３分の１のサブピクセルを減らしている。
【００４７】
図４に示すように、行方向において、第１色のサブピクセルの行は赤サブピクセルＲ、緑サブピクセルＧ、青サブピクセルＢ及び緑サブピクセルＧの順になり、第２サブピクセル行は緑サブピクセルＧ、赤サブピクセルＲ、緑サブピクセルＧ及び青サブピクセルＢの順になり、第３色のサブピクセル行は青サブピクセルＢ、緑サブピクセルＧ、赤サブピクセルＲ及び緑サブピクセルＧの順になっている。
【００４８】
図３と図４に示すように、水平方向と垂直方向の各方向において，緑サブピクセルＧ同士は互いに隣接していない。しかし、水平方向において、２つの赤サブピクセルＲとの間には緑サブピクセルＧ、青サブピクセルＢ及び緑サブピクセルＧが順に介在しており、２つの青サブピクセルＢの間には緑サブピクセルＧ、赤サブピクセルＲ及び緑サブピクセルＧが順に介在されている。
【００４９】
本実施例において、２つのサブピクセルにより一つのピクセルが具現されるため、各ピクセルの中に青サブピクセルＢまたは赤サブピクセルＲが欠けている場合、隣接するピクセルと共有しなければならない。このため、本実施例では、表示グリッド（ｒｅｎｄｅｒｉｎｇ  ｇｒｉｄ）アルゴリズムに基づいて、各赤サブピクセルＲと青サブピクセルＢの発光強度の４分の１が隣接するピクセルに割り当てられる。あるいは、前記アルゴリズムによって、赤サブピクセルＲと青サブピクセルＢの発光強度の８分の１を以前に隣接するピクセル（ｐｒｅｖｉｏｕｓ  ｐｉｘｅｌ）に割り当てられ、８分の４が現在のピクセル（ｃｕｒｒｅｎｔ  ｐｉｘｅｌ）に割り当てられ、８分の３が後に隣接するピクセル（ｆｏｌｌｏｗｉｎｇ  ｐｉｘｅｌ）に割り当てられ。また、前記アルゴリズムに従って、赤サブピクセルＲと青サブピクセルＢの発光強度の２分の１を隣接するピクセルに割り当てられる。
【００５０】
本実施例において、サブピクセルの基本的なユニットの中で同じ色のサブピクセルは同じ４５度の角度の斜線上に配置される。すなわち、第Ｍ行第Ｎ列のサブピクセルと第Ｍ  ＋１行第Ｎ−１列のサブピクセルの色は同じである。例えば、第１行第１行第１列、第２行第２列及び第３行第３列上のサブピクセルはすべて赤色のサブピクセルである。一方、第１行第２列、第２行第３列及び第３行第４列上のサブピクセルは、すべての緑サブピクセルである。
【００５１】
本実施例では、赤サブピクセルＲ、緑サブピクセルＧ及び青サブピクセルＢの面積はいずれも同じである。
【００５２】
第２実施例：
図５の図６に示したように、本発明の第２実施例に係るピクセルアレイは少なくとも３行２列の同じサブピクセル基本ユニットにより構成され、サブピクセル基本ユニットそれぞれは、１２個のサブピクセルにより構成され、１２つのサブピクセルは、３行４列に配列され、１２個のサブピクセルは３つの赤サブピクセルＲ、３つの青サブピクセルＢ、６つの緑サブピクセルＧに割り当てられる。このため、赤サブピクセルＲ、緑サブピクセルＧ、青サブピクセルＢの量比は１：２：１である。
【００５３】
図６に示すように、行方向において、第１色のサブピクセルの行は緑サブピクセルＧ、青サブピクセルＢ、緑サブピクセルＧ及び赤サブピクセルＲの順になり、第２のサブピクセルの行は青サブピクセルＢ、緑サブピクセルＧ、赤サブピクセルＲ及び緑サブピクセルＧの順になり、第３色のサブピクセル行は、緑サブピクセルＧ、赤サブピクセルＲ、緑サブピクセルＧ及び青サブピクセルＢの順になっている。
【００５４】
図５の図６に示すように、水平方向と垂直方向の各方向において，緑サブピクセルＧ同士は互いに隣接していない。しかし、水平方向において、２つの赤サブピクセルＲとの間には緑サブピクセルＧ、青サブピクセルＢ、緑サブピクセルＧが順に介在され、２つの青サブピクセルＢの間には緑サブピクセルＧ、赤サブピクセルＲ、緑サブピクセルＧが順に介在されていることは第１実施例と同じである。
【００５５】
本実施例でも、隣接するピクセルと共有する必要があり、共有と関連するアルゴリズムは第１実施例と同じなので、ここでは説明を省略する。
【００５６】
本実施例では、サブピクセルの基本的なユニットにおいて同じ色のサブピクセルが同じ１３５度の角度の斜線上に配置される。すなわち、第Ｍ行第Ｎ列のサブピクセルが緑サブピクセルである場合には、第Ｍ  ＋１行第Ｎ−１列のサブピクセルも緑サブピクセルである。例えば、第１行第４列、第２行第３列、第３行第２列上のサブピクセルはすべて赤色のサブピクセルである。また、Ｍ＋１、Ｎ−１のサブピクセル基本ユニットの行数と列数を超えた場合には、適用しない。本実施例では、１３５度の角度の６つの斜線上にそれぞれ１つの緑サブピクセルＧ、２つの青サブピクセルＢ、３つの緑サブピクセルＧ、３つの赤サブピクセルＲ  、２つの緑サブピクセルＧと１つの青サブピクセルＢが配置されている。
【００５７】
本実施例では、赤サブピクセルＲ、緑サブピクセルＧ、青サブピクセルＢの面積はいずれも同じ。
【００５８】
第３の実施例：
図７と図８に示すように、本発明の第３実施例に係るピクセルアレイであって、そのサブピクセルの分布は、実質的に第１実施例と同じである。
【００５９】
第１実施例と異なる点は、第１実施例では、カラーごとのサブピクセルの面積はいずれも同じである。一方、本実施例では、緑サブピクセルＧの面積が赤サブピクセルＲの２分の１であり、赤サブピクセルＲの面積が青色サブピクセルＢの面積と同じであることだ。
【００６０】
第４実施例：
図９と図１０に示すように、本発明の第４実施例に係るピクセルアレイであって、そのサブピクセルの分布は、実質的に第１実施例と同じである。但し、緑サブピクセルＧの面積が赤サブピクセルＲの２分の１であり、赤サブピクセルＲの面積が青色サブピクセルＢの面積と同じであることが第１実施例と異なる。
【００６１】
当業者にとって、本発明の請求の範囲に掲載された本発明の範囲と思想を逸脱しない前提で行われた様々な変更や修飾はすべて本発明の請求の範囲が要求される保護範囲内に属することを理解することができます。
【図１】
2015018241.tif 000003
【図２】
2015018241.tif 000004
【図３】
2015018241.tif 000005
【図４】
2015018241.tif 000006
【図５】
2015018241.tif 000007
【図６】
2015018241.tif 000008
【図７】
2015018241.tif 000009
【図８】
2015018241.tif 000010
【図９】
2015018241.tif 000011
【図１０】
2015018241.tif 000012